(57)【特許請求の範囲】
【請求項１】
報知データを保存する報知データ蓄積管理部と、
施設を利用した既利用ユーザから登録された既利用評価データを保存する評価データ蓄積管理部と、
端末から報知データの検索条件を含む検索要求信号を受信し、前記報知データ蓄積管理部を参照して前記検索条件に合致する候補施設の報知データを抽出すると共に、該候補施設に関する既利用評価データを前記評価データ蓄積管理部から読出し、前記候補施設の報知データと既利用評価データとからなる提供データを作成し、前記ユーザ端末に送信する提供情報生成部と、
各ユーザの嗜好を記録した個別ユーザデータを保存する個別ユーザデータ蓄積管理部と、
候補施設までの経路案内を要求する案内要求信号が端末から受信された場合に、検索要求信号に検索を要求しているユーザ（以下、「検索要求ユーザ」と呼ぶ）の個別ユーザデータに基づいて内容を調整した個別案内データを作成して、端末に送信する案内データ生成部とを備え、
前記提供情報生成部は、前記個別ユーザデータ蓄積部から検索要求ユーザに関する個別ユーザデータを読出し、検索要求信号に含まれた検索条件と検索要求ユーザの個別ユーザデータとに基づいて規定検索条件を設定し、該規定検索条件に合致する候補施設の報知データを前記報知データ蓄積管理部から抽出し、
前記案内データ生成部は、候補施設の報知データの位置情報と地図情報とに基づき経路探索を行って案内経路を特定し、前記報知データ蓄積管理部の報知データに従い案内経路の沿線に在る施設（以下、「沿線施設」と呼ぶ）を特定すると共に、検索要求ユーザの個別ユーザデータを参照して、前記沿線施設から該検索要求ユーザの嗜好に合致する施設をランドマークとして抽出し、該ランドマークに関する報知データを個別案内データとして端末に送信することを特徴とする情報提供サーバ。
【請求項２】
前記提供情報生成部は、検索要求ユーザが登録した既利用評価データのみを要求する情報が含まれていた場合には、該候補施設に関する既利用評価データのうち、検索要求ユーザが登録した既利用評価データのみを前記評価データ蓄積管理部から抽出し、候補施設の報知データと抽出された既利用評価データとからなる提供データを作成する構成とされたことを特徴とする、請求項１に記載の情報提供サーバ。
【請求項３】
前記提供情報生成部は、端末から報知データの検索条件と位置情報とを含む検索要求信号を受信し、該検索条件と位置情報とに基づいて規定検索条件を設定し、該規定検索条件に合致する候補施設の報知データを報知データ蓄積管理部から抽出する構成とされたことを特徴とする、請求項１又は２に記載の情報提供サーバ。
【請求項４】
報知データの検索対象地域に関する地図情報を保存し、候補施設に対応する地図情報を端末に送信する地図情報蓄積管理部を更に備えたことを特徴とする、請求項１ないし３の何れかに記載の情報提供サーバ。
【請求項５】
前記端末から既利用評価データの登録を要求する評価登録要求信号を受信した場合に、該既利用評価データに基づいて該既利用ユーザの嗜好を抽出し、該既利用ユーザに関する個別ユーザデータを自動的に更新する個別ユーザデータ更新処理部を更に備えたことを特徴とする、請求項１ないし４に記載の情報提供サーバ。
【請求項６】
前記個別ユーザデータ更新処理部は、既利用評価データに含まれる施設の評価値が所定の閾値以上である場合に、当該施設に関する報知データを報知データ蓄積管理部から読出し、該報知データに基づいて該既利用ユーザに関する嗜好を抽出して、個別ユーザデータを自動的に更新する構成とされたことを特徴とする請求項５に記載の情報提供サーバ。
【請求項７】
報知データを保存する報知データ蓄積管理部と、
前記施設を利用した既利用ユーザから登録された既利用評価データを保存する評価データ蓄積管理部と、
端末から報知データの検索条件を含む検索要求信号を受信し、前記報知データ蓄積管理部を参照して前記検索条件に合致する候補施設の報知データを抽出すると共に、該候補施設に関する既利用評価データを前記評価データ蓄積管理部から読出し、前記候補施設の報知データと既利用評価データとからなる提供データを作成し、前記ユーザ端末に送信する提供情報生成部とを備えた、情報提供サーバと、
位置情報を取得する位置情報取得部と、
ユーザに利用済み施設に関する既利用評価データを入力させ、既利用評価データを含む評価登録要求信号を前記情報提供サーバに送信する既利用評価データ登録部と、
ユーザによって設定された検索条件と、前記位置情報とを含む検索要求信号を前記情報提供サーバに送信する報知データ参照部とを備えた、端末とから構成される、情報提供システムであって、
前記端末において照会処理部は、更に、経路案内が必要な候補施設を特定する情報と、当該端末の位置情報とを含む、案内要求信号を前記情報提供サーバに送信する構成とされ、
前記情報提供サーバは、各ユーザの嗜好を記録した個別ユーザデータを保存する個別ユーザデータ蓄積管理部と、
候補施設の報知データの位置情報と地図情報とに基づき経路探索を行って案内経路を特定し、前記報知データ蓄積管理部の報知データに従い案内経路の沿線施設を特定すると共に、検索要求ユーザの個別ユーザデータを参照して、前記沿線施設から該検索要求ユーザの嗜好に合致する施設をランドマークとして抽出し、該ランドマークに関する報知データを個別案内データとして前記端末に送信する案内データ生成部とを更に備える構成とされたことを特徴とする、情報提供システム。
【請求項８】
前記端末において報知データ参照部は、候補施設に関して登録された各既利用評価データを要求するか、若しくは検索要求ユーザが登録した既利用評価データのみを要求するかを指示する情報を検索要求信号に付加する照会処理部を備える構成とされ、
前記情報提供サーバにおいて提供情報生成部は、検索要求ユーザが登録した既利用評価データのみを要求する情報が検索要求信号に含まれていた場合には、該候補施設に関する既利用評価データのうち、検索要求ユーザが登録した既利用評価データのみを前記評価データ蓄積管理部から抽出し、候補施設の報知データと抽出された既利用評価データとからなる提供データを作成する構成とされたことを特徴とする、請求項７に記載の情報提供システム。
【請求項９】
前記端末において報知データ参照部は、前記情報提供サーバから受信された地図情報を保存する地図情報受信部を更に備え、
前記照会処理部は、報知データ検索結果を表示する際に前記候補施設に対応する地図情報が前記地図情報受信部に保存されているか判断し、地図情報が保存されていない場合には、前記情報提供サーバに対して該候補施設に対応する地図情報の送信を要求する構成とされたことを特徴とする、請求項８に記載の情報提供システム。
【発明の詳細な説明】
【０００１】
【発明の属する技術分野】
この発明は、予め各施設の広告主等によって提供されたデータを蓄積し、端末から設定された検索条件に基づいて検索を行い、検索結果のデータを提供する情報提供サーバ及び情報提供システムに関する。
【０００２】
【従来の技術】
図１２は、特開平１０−２４７２０１号公報に開示された従来の情報提供システムの構成図である。従来の情報提供システムでは、所望の情報を得るためにユーザによって入力された検索条件に基づいてデータベースに対する検索を行うとともに、検索結果それぞれに対する評価値を算出し、各検索結果と評価値とを併記して表示する。
【０００３】
従来の情報提供システムの動作の動作を図１２に従って説明する。まずユーザが入力部５１より検索条件を入力する。検索部５２は、データ管理部５５に保存されているデータベースから検索条件を満足する情報を抽出する。
【０００４】
次に評価値付加部５６は、各検索結果について、所定の評価方法により前記検索条件との適合度合いを示す評価値をそれぞれ算出する。結果表示部５３は、各検索結果と対応する評価値とを併記して表示する。
【０００５】
【発明が解決しようとする課題】
前記従来の情報提供システムにおいて、検索及び表示の対象となるデータ（以下、「報知データ」と呼ぶ。）は、データベースに登録を要求した情報提供者（例えば、レストラン、映画館等の各施設の広告主等。以下、「報知データ提供者」と呼ぶ。）からの情報のみである場合が多い。従って、情報の提供は報知情報提供者からユーザに対し一方的に行われ、各報知データの信頼度が一定ではないため、検索結果にユーザにとって有用でない報知データが多数含まれているという課題があった。
【０００６】
また、各報知データの信頼度を高めるため、過去に施設を利用したユーザ（以下「既利用ユーザ」と呼ぶ。）の評価やコメント等（以下、「既利用評価データ」）を、当該施設の報知データと併せて提供する情報提供システムも知られている。しかし従来の情報提供システムは、既利用評価データとして既利用ユーザのコメントが列挙されているのみであったり、評価値の集計結果のみを示すものであったため、各既利用評価データがユーザにとって有効であるかどうか判断が困難であるという課題があった。
【０００７】
さらに、前記報知データには地図情報ともに経路案内データが付加される場合があるが、当該経路案内データは報知データ提供者によって提供される。従って、例えば「交番」や「病院」、特徴的な「ビル」の建造物等のような、経路案内の基礎となる目印（以下、「ランドマーク」と呼ぶ。）も報知データ提供者によって特定されるため、経路案内データがユーザに解りにくい場合があるという課題があった。
【０００８】
本発明は前記課題を解決するためになされたものであり、信頼性が高く解りやすい報知データをユーザに提供することが可能な、利便性の高い情報提供システムを得ることを目的とする。
【０００９】
【課題を解決するための手段】
前記課題を解決するために本願発明に係る情報提供サーバは、施設を利用した既利用ユーザから登録された既利用評価データを保存する評価データ蓄積管理部と、端末から報知データの検索条件を含む検索要求信号を受信し、前記報知データ蓄積管理部を参照して前記検索条件に合致する候補施設の報知データを抽出すると共に、該候補施設に関する既利用評価データを前記評価データ蓄積管理部から読出し、前記候補施設の報知データと既利用評価データとからなる提供データを作成し、前記ユーザ端末に送信する提供情報生成部とを備える。
【００１０】
次の発明に係る情報提供サーバにおいて、前記提供情報生成部は、検索要求ユーザが登録した既利用評価データのみを要求する情報が含まれていた場合には、該候補施設に関する既利用評価データのうち、検索要求ユーザが登録した既利用評価データのみを前記評価データ蓄積管理部から抽出し、候補施設の報知データと抽出された既利用評価データとからなる提供データを作成する構成とされる。
【００１１】
次の発明に係る情報提供サーバにおいて、前記提供情報生成部は、端末から報知データの検索条件と位置情報とを含む検索要求信号を受信し、該検索条件と位置情報とに基づいて規定検索条件を設定し、該規定検索条件に合致する候補施設の報知データを報知データ蓄積管理部から抽出する構成とされる。
【００１２】
次の発明に係る情報提供サーバは、報知データの検索対照地域に関する地図情報を保存し、候補施設に対応する地図情報を端末に送信する地図情報蓄積管理部を更に備える。
【００１３】
次の発明に係る情報提供サーバは、各ユーザの嗜好を記録した個別ユーザデータを保存する個別ユーザデータ蓄積管理部を更に備え、前記提供情報生成部は、前記個別ユーザデータ蓄積部から検索要求ユーザに関する個別ユーザデータを読出し、検索要求信号に含まれた検索条件と検索要求ユーザの個別ユーザデータとに基づいて規定検索条件を設定し、該規定検索条件に合致する候補施設の報知データを報知データ蓄積管理部から抽出する構成とされる。
【００１４】
次の発明に係る情報提供サーバは、前記端末から既利用評価データの登録を要求する評価登録要求信号を受信した場合に、該既利用評価データに基づいて該既利用ユーザの嗜好を抽出し、該既利用ユーザに関する個別ユーザデータを自動的に更新する個別ユーザデータ更新処理部を更に備える。
【００１５】
次の発明に係る情報提供サーバにおいて、前記個別ユーザデータ更新処理部は、既利用評価データに含まれる施設の評価値が所定の閾値以上である場合に、当該施設に関する報知データを報知データ蓄積管理部から読出し、該報知データに基づいて該既利用ユーザに関する嗜好を抽出して、個別ユーザデータを自動的に更新する構成とされる。
【００１６】
次の発明に係る情報提供サーバは、候補施設までの経路案内を要求する案内要求信号が端末から受信された場合に、検索要求ユーザの個別ユーザデータに基づいて内容を調整した個別案内データを作成して、端末に送信する案内データ生成部を更に備える。
【００１７】
次の発明に係る情報提供サーバにおいて、前記案内データ生成部は、候補施設の報知データの位置情報と地図情報とに基づき経路探索を行って案内経路を特定し、前記報知データ蓄積管理部の報知データに従い沿線施設を特定すると共に、検索要求ユーザの個別ユーザデータを参照して、前記沿線施設から該検索要求ユーザの嗜好に合致する施設をランドマークとして抽出し、該ランドマークに関する報知データを個別案内データとして端末に送信する案内データ生成部を更に備える。
【００１８】
次の発明に係る情報提供システムは、報知データを保存する報知データ蓄積管理部と、前記施設を利用した既利用ユーザから登録された既利用評価データを保存する評価データ蓄積管理部と、端末から報知データの検索条件を含む検索要求信号を受信し、前記報知データ蓄積管理部を参照して前記検索条件に合致する候補施設の報知データを抽出すると共に、該候補施設に関する既利用評価データを前記評価データ蓄積管理部から読出し、前記候補施設の報知データと既利用評価データとからなる提供データを作成し、前記ユーザ端末に送信する提供情報生成部とを備えた情報提供サーバと、位置情報を取得する位置情報取得部と、ユーザに利用済み施設に関する既利用評価データを入力させ、既利用評価データを含む評価登録要求信号を前記情報提供サーバに送信する既利用評価データ登録部と、ユーザによって設定された検索条件と、前記位置情報とを含む検索要求信号を前記情報提供サーバに送信する報知データ参照部とを備えた端末とから構成される。
【００１９】
次の発明に係る情報提供システムの端末において報知データ参照部は、候補施設に関して登録された各既利用評価データを要求するか、若しくは検索要求ユーザが登録した既利用評価データのみを要求するかを指示する情報を検索要求信号に付加する照会処理部を備える構成とされ、前記情報提供サーバにおいて提供情報生成部は、検索要求ユーザが登録した既利用評価データのみを要求する情報が検索要求信号に含まれていた場合には、該候補施設に関する既利用評価データのうち、検索要求ユーザが登録した既利用評価データのみを前記評価データ蓄積管理部から抽出し、候補施設の報知データと抽出された既利用評価データとからなる提供データを作成する構成とされる。
【００２０】
次の発明に係る情報提供システムの端末において報知データ参照部は、前記情報提供サーバから受信された地図情報を保存する地図情報受信部を更に備え、前記照会処理部は、報知データ検索結果を表示する際に前記候補施設に対応する地図情報が前記地図情報受信部に保存されているか判断し、地図情報が保存されていない場合には、前記情報提供サーバに対して該候補施設に対応する地図情報の送信を要求する構成とされる。
【００２１】
次の発明に係る情報提供システムの端末において照会処理部は、更に、経路案内が必要な候補施設を特定する情報と、当該端末の位置情報とを含む、案内要求信号を前記情報提供サーバに送信する構成とされ、前記情報提供サーバは、各ユーザの嗜好を記録した個別ユーザデータを保存する個別ユーザデータ蓄積管理部と、候補施設の報知データの位置情報と地図情報とに基づき経路探索を行って案内経路を特定し、前記報知データ蓄積管理部の報知データに従い案内経路の沿線施設を特定すると共に、検索要求ユーザの個別ユーザデータを参照して、前記沿線施設から該検索要求ユーザの嗜好に合致する施設をランドマークとして抽出し、該ランドマークに関する報知データを個別案内データとして前記端末に送信する案内データ生成部とを更に備える構成とされる。
【００２２】
【発明の実施の形態】
実施の形態１．
図１は、本発明の実施の形態１の情報提供システムの構成図である。図１において、１はユーザが既利用評価データを入力するとともに、所望の施設に関する報知データを得るために検索式を入力して検索結果を表示する端末、２は報知データのデータベースを保存し端末１の要求に従って検索処理を行う情報提供サーバである。
【００２３】
端末１において、４はＧＰＳ（Global Positioning Systems）受信手段を搭載し端末の位置情報を取得する位置情報取得部、２０はユーザが利用済みの施設に関する既利用評価データを入力する既利用評価データ登録部、２１はユーザがコメントや評価点等の既利用評価データを入力する評価データ入力部、２３は情報提供サーバ２に対して前記既利用評価データの登録を要求する評価データ登録部、３０は情報提供サーバ２に保存されたデータベースを検索して検索結果の報知データを参照する報知データ参照部、３１は情報提供サーバ２にデータベースの検索を指示する照会処理部、３２は情報提供サーバ２から送信された地図情報を保持する地図情報受信部、３３は検出結果の報知データを表示する表示部、６は端末１と情報提供サーバ２との間で通信を行う通信部である。
【００２４】
また情報提供サーバ２において、６は通信部、１２は各施設の報知データ提供者から提供された報知データを蓄積する報知データ蓄積管理部、１３は既利用ユーザが登録した既利用評価データを蓄積する評価データ蓄積管理部、１４は各ユーザに関して予め登録された個別の管理情報（以下、「個別ユーザデータ」）を蓄積する個別ユーザデータ蓄積管理部、１１は端末１から送信された検索条件に従い、報知データ及び評価データを検索して当該端末に提供する位置情報を作成する提供情報生成部、１５は端末１に送信する地図情報を予め記憶する地図情報蓄積管理部である。
【００２５】
ここで、報知データ蓄積管理部１２に蓄積される報知データには、当該施設の「施設を特定する情報（名称）」「施設カテゴリー」「位置情報」と、その他報知データ提供者から提供された情報（例えば「営業時間」「連絡先」「アピールコメント」等）が含まれている。
【００２６】
次に上記の通り構成される本実施の形態１の情報提供システムの動作について説明する。
ユーザがレストランや映画館等、評価対象の施設を利用すると、既利用評価データ登録部２０の評価データ入力部２１は、ユーザから当該施設の既利用評価データの入力を受け付ける。ユーザから入力される既利用評価データは、当該施設を特定する名称、利用日時、当該施設の評価（例えば○×△等）、利用シチュエーション（例えば「家族と一緒」「友人同伴」「一人」等）やその他自由なコメント等によって構成される。
【００２７】
既利用評価データの入力受付を完了すると、評価データ入力部２１は当該既利用評価データを評価データ登録部２３に送付するとともに、位置情報取得部４に位置情報の取得を要求する。位置情報取得部４はＧＰＳ受信手段により当該端末の位置情報を取得し、評価データ登録部２３に送付する。
【００２８】
評価データ登録部２３は、前記既利用評価データに位置情報及び当該端末のユーザを特定する情報（以下、「ユーザＩＤ」と呼ぶ。）を付加し、当該既利用評価データを含む評価登録要求信号を作成する。評価データ登録部２３は、通信部６を介して既利用評価データを情報提供サーバ２に送信する。
【００２９】
情報提供サーバ２の評価データ蓄積管理部１３には、既利用評価データを蓄積するための評価データベースが備えられている。評価データ蓄積管理部１３は、端末１から送信された当該既利用評価データを通信部６を介して受信して、評価データベースに蓄積する。
図２は、評価データベースの例を示した模式図である。評価データベースには、各既利用ユーザから登録された既利用評価データが、当該既利用ユーザのユーザＩＤと端末の位置情報とともに登録される。
【００３０】
次に報知データの検索及び表示処理について説明する。
初めに、報知データ参照部３０の照会処理部３１は当該情報提供システムの利用開始時に、「好みの施設カテゴリー」「予算」等のユーザの嗜好に関する個別ユーザデータをユーザに対して問い合せる。
ユーザは、例えば「好みレストラン：１．イタリア料理、２．中華料理、３．焼肉」「予算：５０００円以内」というように、個別ユーザデータを報知データ照会処理部３１に入力する。
個別ユーザデータは、情報提供システムの利用開始時、若しくはユーザによって明示の要求が合った場合に逐次、入力及び編集することができる。
【００３１】
照会処理部３１は、個別ユーザデータに当該ユーザのユーザＩＤを付加し、該個別ユーザデータを通信部６を介して情報提供サーバ２に送信する。情報提供サーバ２は個別ユーザデータを個別ユーザデータ蓄積管理部１４に保存する。
【００３２】
個別ユーザデータの登録が完了した状態において、照会処理部３１はユーザより検索条件の入力を受け付ける。ユーザは、例えば「施設：レストラン」等というように検索対象の施設を入力する。
【００３３】
照会処理部３１は、当該端末１の位置情報を前記位置情報取得部４から読出して、ユーザによって入力された検索条件に、該位置情報と当該ユーザのユーザＩＤを付加して「検索要求信号」として情報提供サーバ２に送信する。
【００３４】
情報提供サーバ２において提供情報生成部１１は、前記端末１から送信された検索要求信号に従い検索処理を行う。以下で提供情報生成部１１における提供データ作成処理をフロー図３に従って説明する。
【００３５】
初めに端末１からの検索要求信号を受信すると（ステップＳ１）、提供情報生成部１１は該検索要求信号に含まれるユーザ設定の検索条件「施設：レストラン」と、該端末の位置情報を抽出する（ステップＳ２）。
【００３６】
提供情報生成部１１には、ユーザが利用可能な検索結果件数（１〜十数件程度）を得るために、複数の規定検索項目が予め設定されている。本実施の形態１では、規定検索項目として「検索対象地域」「検索対象施設」「検索対象カテゴリー」「検索対象予算」の４項目が設定されているものとする。
【００３７】
提供情報生成部１１は、前記ユーザ設定の検索条件に基づいて「検索対象施設：レストラン」と特定する。
【００３８】
提供情報生成部１１には、予め複数の検索対象地域（例えば、「横浜駅周辺地区」「逗子・鎌倉地区」「湘南地区」等）が保存されている。提供情報生成部１１は、前記検索要求信号から抽出された現在位置情報に従い、該端末１が属する検索対象地区を特定する。
【００３９】
また提供情報生成部１１は、検索要求信号に含まれたユーザＩＤに基づいて、前記個別ユーザデータ蓄積管理部１４に予め保存された当該ユーザの個別ユーザデータを参照し、該個別ユーザデータに基づいて、前記検索要求信号に含まれていなかった他の規定検索項目「検索対象カテゴリー」「検索対象予算」を抽出する（ステップＳ３）。
ここでは、個別ユーザデータ蓄積管理部１４に前述の個別ユーザデータが予め保存されていたものとして「検索対象カテゴリー：１）イタリア料理、２）中華料理、３）焼肉」「検索対象予算：５０００円以内」を特定する。
【００４０】
提供情報生成部１１は、検索要求信号に含まれていた「検索対象施設」と、端末１の位置情報から特定された「検索対象地域」と、個別ユーザデータに基づいて設定された「検索対象カテゴリー」「検索対象予算」とを規定検索項目として設定する（ステップＳ４）。
【００４１】
提供情報生成部１１は、従来の情報検索システムと同様の方法により、報知データ蓄積管理部に記憶された各報知データについて、各規定検索項目との一致度合いを「検索評価値」として算出する。ここで検索評価値は、各規定評価項目との一致数が多い報知データほど大きな値となり、一致項目数が少ない報知データほど小さな値が算出されるものとする。
【００４２】
提供情報生成部１１には、各報知データを有効な検索結果を特定するための検索評価値の評価閾値が設定されている。提供情報生成部１１は、前記算出された各報知データの検索評価値と評価閾値とを比較し、検索評価値が評価閾値以上である報知データを検索結果として抽出する（ステップＳ６）。
【００４３】
次に提供情報生成部１１は、評価データ蓄積管理部１３の評価データベースを参照し、検索結果として抽出された候補施設の評価データ各々について対応する既利用評価データを読出し（ステップＳ７）、検索結果の報知データとその検索評価値と既利用評価データとからなる提供データを作成する（ステップＳ８）。
【００４４】
例えば前述の図２に例示された評価データベースが評価データ蓄積管理部１３に保存されており、検索結果の抽出処理（ステップＳ６）によって、検索評価値の大きい順に第１候補として「施設１」、第２候補として「施設３」、第３候補として「施設２」が抽出された場合について説明する。
提供情報生成部１１は、検索評価値が最大であった第１候補「施設１」に関する評価データを評価データベースから読出して、「施設１」に関する報知データと検索評価値と評価データとからなる提供データを作成する。同様に他の検索結果である「施設３」「施設２」についても提供データの作成を行う。
【００４５】
提供情報作成部１１は、各検索結果に関する提供データを通信部６を介して端末１の照会処理部３１に送信する。
【００４６】
次に端末１において照会処理部３１は、各検索結果の提供データを参照し、各検索結果について候補施設の位置が含まれる地図情報が当該端末１に保存されているか、地図情報受信部３２に対して問い合せる。
【００４７】
その結果、地図情報受信部３２に候補施設に対応する地図情報が保存されている場合は、照会処理部３１は地図情報受信部３２に対して該当する地図情報の表示を指示する。
【００４８】
一方、地図情報受信部３２に候補施設に対応する地図情報が保存されていない場合は、照会処理部３１は、情報提供サーバ２の提供情報生成部１１に対して、当該候補施設を特定する情報と端末１のユーザＩＤとからなる「地図情報要求信号」を送信し、当該候補施設に対応する地図情報の送信を要求する。
【００４９】
提供情報生成部１１は、地図情報要求信号から候補施設を特定する情報を読出し、報知データ蓄積管理部１２に蓄積された当該候補施設に対応する報知データを参照して当該候補施設の位置情報を読出し、該候補施設に対応する地図情報の送信を地図情報蓄積管理部１５に指示する。地図情報蓄積管理部１５は、該候補施設に対応する地図情報を、通信部６を介し端末１の地図情報受信部３２に対して送信する。
【００５０】
端末１において地図情報受信部３２は、照会処理部３１からの指示に従い候補施設に対応する地図を表示部３３に表示し、照会処理部３１は当該地図上に当該候補施設を明示するマークを表示するとともに、当該候補施設に関する前記報知データと前記既利用評価データとを併記して表示する。
【００５１】
図４は、表示部３３に表示される検索結果画面の例を示した模式図である。図４において、地図上に候補施設を明示するマーク４１と併せて、当該施設に関する報知データ４２と既利用評価データ４３とからなる提供データ４０が表示されている。
【００５２】
以上の通り、本実施の形態１の情報提供システムによれば、ユーザによって設定された検索条件と、個別ユーザデータ蓄積管理部１４に予め設定された個別ユーザデータによる抽出とを、規定抽出項目として設定し、当該規定抽出項目に従って報知データを検索する。従って、ユーザによって検索時に設定された検索条件が大まかな場合であっても、端末の位置情報を情報提供サーバ２に送信して自動的に検索対象地域を特定するとともに、個別ユーザデータに基づいてユーザの嗜好などにあわせた検索結果を得ることができ、利便性の高い情報提供システムを提供することができる。
【００５３】
また、検索結果に対応する候補施設の報知データに併せ、当該候補施設に関する既利用評価データを表示するような構成としたことにより、検索結果に関する各提供データの信頼度を高めることができる。
【００５４】
なお、前記実施の形態１において、位置情報取得手段４はＧＰＳ受信手段により端末１の位置情報を取得したが、端末の位置情報の取得方法はＧＰＳ受信手段に限定されるものではなく、例えば携帯電話システムの情報提供サービス等、他の位置情報取得手段を用いても良い。
また評価データ登録部２３は位置情報取得手段４によって取得された位置情報を自動的に既利用評価データに含めて情報提供サーバ２に送信したが、これはこのような構成に限定されるものではなく、既利用ユーザが既利用評価データ入力の際に、地図上で評価対象施設の位置を明示的に指定して位置情報を入力するような構成であってもよい。
【００５５】
実施の形態２．
前記実施の形態１において、情報提供サーバの提供情報生成部は、検索結果で特定された各候補施設に関する既利用評価データを提供データに含めて端末に送信し、端末の照会処理部は、候補施設の既利用評価データを全て表示したが、本実施の形態２の情報提供システムでは、ユーザからの指示に基づき、当該ユーザが入力した既利用評価データのみを表示するか、若しくは候補施設に関する全ての既利用評価データを表示するか切替える。
なお本実施の形態２の位置情報システムは、前記実施の形態１とは、当該ユーザが入力した既利用評価データを表示するか、候補施設に関する全ての既利用評価データを表示するか切替える点が異なるものであり、その他の処理は同一であるため、以下では情報提供サーバの提供情報生成部及び端末の照会処理部における処理について説明し、その他同一の構成について同一の符号を付して説明を省略する。
【００５６】
図５は本実施の形態２の情報提供システムの構成図である。図５において、３４は候補施設に関する既利用表示データの切替えを指示する表示切替指示部である。
【００５７】
次に、本実施の形態２の情報提供システムについて説明する。
端末１において、表示切替指示部３４は、既利用評価データの表示切替え指示をユーザから受け付ける。ユーザは、自分が過去に登録した既利用評価データのみを表示する「個人メモモード」と、自分の既利用評価データと他のユーザの既利用評価データとを併記して表示する「評価参照モード」を選択することができる。
【００５８】
以下では、ユーザによって「個人メモモード」が選択されている場合の検索処理について説明する。
照会処理部３１は、検索要求信号（ユーザ設定の検索条件及びユーザＩＤ）に表示切替え指示「個人メモモード」を含めて、情報提供サーバ２に送信する。
【００５９】
情報提供サーバ２の提供生成部１１は、端末１からの検索要求信号と個別ユーザユーザデータ蓄積管理部１４に保存された当該ユーザに関する個別ユーザデータに従って規定検索項目を設定し、報知データ蓄積管理部１２から規定検索項目に該当する報知データを抽出する。
【００６０】
次に、提供情報生成部１１は、検索要求信号に含まれた表示切替え指示を読出し、該表示切替え指示が「個人メモモード」である場合には、評価データ蓄積管理部１３の評価データベースを参照し、前記抽出された報知データに対応する既利用評価データのうち、前記検索要求信号に含まれたユーザＩＤと同じ登録ユーザＩＤの既利用評価データのみを抽出する。
【００６１】
例えば、検索要求信号（「ユーザＩＤ：ユーザＣ」）に基づく検索処理の結果、「施設：イロハ屋（イタリア料理）」に関する報知データが候補施設として抽出され、評価データベースに「ユーザＡ」「ユーザＢ」「ユーザＣ」の既利用評価データが保存されている場合には、提供情報生成部１１は「施設Ａ」に関する既利用評価データ（ユーザＡ〜Ｃ）を評価データベースから読出し、その中から当該ユーザＣの既利用評価データのみを抽出する。そして、「施設：イロハ屋（イタリア料理）」に関する報知データと対応する「ユーザＣ」の既利用評価データとからなる提供データを作成する。
【００６２】
一方、検索結果の候補施設に対応する既利用評価データのうち、当該ユーザＣの既利用評価データが無かった場合には、候補施設に関する報知データのみからなる提供データを作成する。
【００６３】
提供情報生成部１１は、各候補施設について提供データの作成処理をおこない、各候補施設に関する提供データを通信部６を介して端末１に送信する。
【００６４】
端末１において地図情報受信部３２は、照会処理部３１からの指示に従い候補施設に対応する地図を表示部３３に表示し、照会処理部３１は当該地図上に当該候補施設を明示するマークを表示するとともに、当該候補施設に関する前記報知データと前記既利用評価データとを併記して表示する。
【００６５】
図６は、前述の図４の場合と同一の検索条件で、ユーザＣに関する「個人メモモード」を設定し検索結果を表示した場合の、検索結果表示画面の例を示した模式図である。
図６において、地図上に候補施設を明示するマーク４１と併せて、対応する提供データ４０が表示されている。各候補施設のうち「施設：イロハ屋（イタリア料理）」及び「施設：くまひら（焼肉）」については、ユーザＣの既利用評価データが登録されていたため当該既利用評価データが表示されている（図４と対照のこと）。一方「施設：大元（中華料理）」について、ユーザＣの既利用評価データは登録されていなかったため、既利用評価データは表示されない。
【００６６】
次に、ユーザが表示切替指示部３４に「評価参照モード」を指定すると、照会処理部３１は表示切替え指示「評価参照モード」を含む検索要求信号を作成して、情報提供サーバ２に送信する。
【００６７】
情報提供サーバ２の提供生成部１１は、端末１からの検索要求信号と個別ユーザユーザデータ蓄積管理部１４に保存された当該ユーザに関する個別ユーザデータに従って規定検索項目を設定し、報知データ蓄積管理部１２から規定検索項目に該当する報知データを抽出する。
【００６８】
提供情報生成部１１は、検索要求信号に含まれた表示切替え指示を読出し、該表示切替え指示が「評価参照モード」である場合には、評価データ蓄積管理部１３の評価データベースを参照して前記抽出された報知データに対応する全ての既利用評価データを読出し、報知データと既利用評価データとからなる提供データを生成する。このとき提供情報生成部１１はユーザＩＤによる抽出を行わない。提供情報生成部１１は、各候補施設に関する提供データを、通信部６を介して端末１に送信する。
【００６９】
端末１において地図情報受信部３２は、照会処理部３１からの指示に従い候補施設に対応する地図を表示部３３に表示し、照会処理部３１は当該地図上に当該候補施設を明示するマークを表示するとともに、当該候補施設に関する前記報知データと前記既利用評価データとを併記して表示する。
【００７０】
以上本実施の形態２では、報知データ参照部３０に既利用評価データの表示切替えを指示する表示切替指示部３４を設け、ユーザからの表示切替え指示が「個人メモモード」である場合には、情報提供サーバ２の提供情報生成部１１は候補施設の報知データと当該ユーザが過去に登録した既利用評価データのみを含む提供データを作成し、表示切替え指示が「評価参照モード」である場合には、提供情報生成部１１は報知データと全ユーザの既利用評価データを含む提供データを作成する。従って、ユーザからの要求に応じて検索結果表示画面上に表示される既利用評価データを過去に自ら登録したものに限定し、各候補施設に関する自己の覚え書きを容易に参照することができ、情報提供システムの利便性を高めることができる。
【００７１】
なお本実施の形態２において、情報提供サーバ２の提供情報作成部１１は、表示切替え指示が「個人メモモード」である場合に、登録ユーザＩＤが検索要求信号に含まれたユーザＩＤと同一である既利用評価データのみを評価データベースから抽出して提供データを作成したが、これはこのような方法に限定されるものではない。
例えば、提供情報作成部１１で全ユーザの既利用評価データを読出すと共に、検索要求信号のユーザＩＤが同一の既利用評価データのみに、自己の既利用評価データであることを示す特定情報を付加して提供データを作成し、端末１の表示部３３で前記特定情報が付加された既利用評価データのみを表示色や表示フォントサイズを変更して強調表示するような構成であってもよい。
また、前記特定情報が付加された既利用評価データを、自己の既利用評価データを表示する別個の欄を表示画面上に設け、前記特定情報が付加された既利用評価データのみを、当該別個の欄に表示するような構成であってもよい。
【００７２】
実施の形態３．
前記実施の形態１において、照会処理部３１は情報提供システムの利用開始時にユーザの嗜好に関する個別ユーザデータをユーザに問い合せるとともに、個別ユーザデータ蓄積管理部１４に蓄積された個別ユーザデータと、検索要求信号に含まれた検索条件とに従い規定検索項目を設定したが、本実施の形態３の情報提供システムでは、情報提供サーバ２において既利用ユーザから登録要求があった既利用評価データに基づいて各ユーザの嗜好を抽出し、個別ユーザデータの更新を行う。
なお、本実施の形態３の情報提供システムと前記実施の形態１とは、既利用評価データに基づいて各ユーザの嗜好を抽出し個別ユーザデータの更新を行う点が異なるものであり、その他の処理は同一であるため、以下では情報提供サーバ２におけるユーザ嗜好抽出処理及び個別ユーザデータ更新処理について説明し、他の処理については説明を省略する。また前記実施の形態１と同一の構成については同一の符号を付して説明を省略する。
【００７３】
図７は本実施の形態３の情報提供システムの構成図である。図７において、１６は端末１から送信された評価登録要求信号に含まれる既利用評価データに基づいて、当該ユーザの嗜好を抽出し、個別ユーザデータを更新する個別ユーザデータ更新処理部である。
【００７４】
次に、上記の通り構成される本実施の形態３の情報提供システムの動作について説明する。
初めに個別ユーザデータ更新処理部１６には、ユーザの嗜好を抽出するために、施設の評価基準値（例えば「基準値：施設の評価＝○」）が設定されている。
【００７５】
端末１から、既利用評価データを含む評価登録要求信号が送信されると、評価データ蓄積管理部１３は当該既利用評価データを評価データベースに蓄積する。
【００７６】
また、個別ユーザデータ更新処理部１６は評価登録要求信号を入力し、既利用評価データから登録ユーザＩＤと該施設の評価を読出す。
【００７７】
個別ユーザデータ更新処理部１６は、当該既利用評価データの施設の評価と、前記評価基準値とを比較し、施設の評価が評価基準値以上であった場合には、当該施設が評価を登録した既利用ユーザの嗜好に合致していると判定し、報知データ蓄積管理部１２から当該施設に関する報知データを読出して、該報知データの登録項目（例えば「好みの施設カテゴリー」「予算」）を更新ユーザデータとして抽出する。
【００７８】
例えば、ユーザから登録要求信号が送信された既利用評価データが「評価施設：イロハ屋（イタリア料理）」「施設の評価：○」であった場合、個別ユーザデータ更新処理部１６は当該施設「イロハ屋」が該既利用ユーザの嗜好に合致していると判定し、報知データ蓄積管理部１２から当該「イロハ屋」の報知データを読出す。そして「イロハ屋」の報知データから「施設カテゴリー：イタリア料理」と「予算：５０００円」を読出し、これらを更新ユーザデータとして抽出する。
【００７９】
個別ユーザデータ更新処理部１６は、個別ユーザデータ蓄積管理部１４に更新ユーザデータを出力し、個別ユーザデータ蓄積管理部１４は登録ユーザＩＤに対応する個別ユーザデータを更新する。
【００８０】
端末１の照会処理部３１から検索要求信号が送信された場合には、情報提供サーバ２の提供情報生成部１１は、検索要求信号の検索条件及び端末１の位置情報と、上記の通り更新された個別ユーザデータとに従って報知データの検索処理を行う。
【００８１】
以上の通り、本実施の形態３の情報提供システムでは、端末から送信された評価登録要求信号に含まれる既利用評価データに従って、当該既利用ユーザの嗜好を抽出し個別ユーザデータを更新するような構成としたことにより、既利用評価データの登録処理毎に当該ユーザの嗜好に合わせて個別ユーザ情報が自動的に更新されるため、ユーザは別個に個別ユーザデータの更新処理を行う必要がなく、位置情報システムの利便性を高めることができる。
また逐次更新された個別ユーザデータに基づいて報知データの検索処理を行うことにより、ユーザの嗜好の変化に対応しつつ、ユーザの要求に応じた検出結果を得ることができる。
【００８２】
実施の形態４．
上記実施の形態３では、情報提供サーバにおいて評価登録要求信号に基づき個別ユーザデータ更新処理部によって更新された個別ユーザデータに従って報知データの検索を行い各候補施設の提供データを作成するとともに、端末において各候補施設に関する提供データを地図上に表示したが、本実施の形態４の情報提供システムでは、更に情報提供サーバが個別ユーザデータに基づいて各ユーザ毎に案内表示内容が調整された個別案内データを作成する。
なお、本実施の形態４の情報提供システムは、上記実施の形態３とは各ユーザ毎に案内表示内容が調整された個別案内データを作成する点が異なるものであり、その他の処理については同一であるため、以下では情報提供サーバにおける個別案内データの作成処理について説明し、上記実施の形態３の情報提供システムと同一の構成については同一の符号を付して説明を省略する。
【００８３】
図８は本実施の形態４の情報提供システムの構成図である。図８において、１７は報知データ蓄積管理部１２に保存された報知データと個別ユーザデータ蓄積管理部１４に保存された個別ユーザデータとに基づき、候補施設までの案内データを作成する案内データ生成部である。
【００８４】
次に本実施の形態４の情報提供システムの動作について説明する。
初めに、報知データ参照部３０の照会処理部３１は当該情報提供システムの利用開始時に、前述したユーザの嗜好に関する個別ユーザデータ（「好みの施設カテゴリー」「予算」等）と併せて、当該ユーザの趣味に関する個別ユーザデータの入力を要求する。趣味に関する個別ユーザデータは、例えば「映画」「モータースポーツ」「ファッション」等の代表的な項目（以下、「趣味項目」と呼ぶ。）を列挙した上で、ユーザが任意の項目を選択して指定する。また、趣味項目には、ユーザが任意の嗜好を指定して登録してもよい。
当該趣味に関する個別ユーザデータは、情報提供システムの利用開始時、若しくはユーザによって明示の要求が合った場合に逐次、入力及び編集することができる。
【００８５】
また、各施設の報知データ提供者は、報知データを登録する際に各施設に関連がある趣味項目を選択し、当該施設に関する報知データに選択された趣味項目を含めて、情報提供サーバ２の報知データ蓄積管理部２に登録する。
【００８６】
情報提供サーバ２において提供情報生成部１１は、端末１からの検索要求信号に従って報知データの検索をおこない、各候補施設の提供データを作成して端末１に送信する。端末１において照会処理部３１は、各候補施設の提供データを表示部３３の地図上に表示する。
【００８７】
各候補施設の提供データが表示されている状態において、照会処理部３１はユーザより案内データ要求の指示入力をユーザから受け付ける。ユーザは表示部３３の地図上に表示された候補施設の中から、案内データが必要な候補施設（以下、「案内候補施設」と呼ぶ。）を指定して、案内データ要求を指示する。照会処理部３１は、位置情報取得部４から当該端末１の位置情報を取得し、前記ユーザＩＤと、前記案内候補施設を特定する情報と、当該端末１の位置情報とを含む案内要求信号を作成し、通信部６を介して情報提供サーバ２に送信する。
【００８８】
情報提供サーバ２の提供情報生成部１１は、案内要求信号を案内データ生成部１７に転送する。案内データ生成部１７は、案内要求信号に基づいて当該ユーザ向けに案内表示内容が調整された個別案内データを作成する。
【００８９】
案内データ生成部１７における個別案内データ作成処理をフロー図９に従って説明する。
初めに案内データ生成部１７は、案内要求信号を受信しユーザＩＤ、案内候補施設を特定する情報、及び端末１の位置情報を読出す（ステップＳ１１）。
【００９０】
案内データ生成部１７は、報知データ蓄積管理部１２に保存された案内候補施設に関する報知データを参照して当該報知データから該案内候補施設の位置情報を読出す。次に、案内候補施設及び端末１の位置情報と地図情報蓄積管理部１５に保存された地図情報とに基づき、例えば「経路探索問題とその応用」（加藤、情報処理学会誌３９巻６号、１９９８年６月）に開示された経路探索方法により、端末１から案内候補施設までの案内経路を探索する（ステップＳ１２）。
【００９１】
案内データ生成部１７は、報知データ蓄積管理部１２の各報知データの位置情報を参照して、前記案内経路の沿線に在る施設（以下、「沿線施設」と呼ぶ。）を抽出する（ステップＳ１３）。
【００９２】
次に案内データ生成部１７は、案内要求信号から抽出されたユーザＩＤに対応する個別ユーザデータを個別ユーザデータ蓄積管理部１４から参照し、当該ユーザの趣味項目を読出す（ステップＳ１４）。案内データ生成部１７は、各沿線施設の報知データを参照し、報知データに登録された趣味項目が当該ユーザの趣味項目と合致する沿線施設のみを抽出して、ランドマークとして特定する（ステップＳ１５）。なお、ランドマークを特定するときは、個別ユーザデータにユーザによって任意に特定された嗜好等の趣味項目を用いることもできる。
【００９３】
案内データ生成部１７は、各ランドマークに関する報知データと案内経路を特定する情報とを含む案内データを作成し、通信部６を介して端末１に送信する（ステップＳ１６）。
【００９４】
端末１において照会処理部３１は、案内データから案内経路を特定する情報を読出し、例えば経路を明示する表示色や太線を用いて、表示部３３の地図上に当該案内経路を明示する。
更に、各ランドマークの報知データに基づき、表示部３３の地図上に当該ランドマークを明示する記号とその施設を特定する情報（名称）を表示して、案内候補施設までの経路案内図を作成する。
【００９５】
図１０は、個別ユーザデータの趣味項目として「読書」「映画」が指定されている場合における経路案内図の例を示した模式図である。図１０において、４５は案内経路を明示する表示、４６はランドマークを明示するマーク、４７は各ランドマーク４６を特定する情報を示す案内データの表示、４８は端末１の現在位置を表すマークである。
端末１の現在位置４８から案内候補施設（「イロハ屋（イタリア料理）」）４５までの案内経路を明示する表示４５の沿線に、関連する趣味項目として「読書」又は「映画」が指定されたランドマーク「駅前図書館（公営施設）」「オリオン座（映画館）」「昭和書房（書店）」が抽出され、各ランドマークがマーク４６と案内データの表示４７とで明示されている。
【００９６】
一方、図１１は個別ユーザデータの趣味項目として「モータースポーツ」「自動車」が指定されている場合に、個別案内データに基づいて作成された経路案内画面の例を示している。端末１の現在位置４８から案内候補施設４５までの案内経路を明示する表示４５の沿線に、関連する趣味項目として「モータースポーツ」又は「自動車」が指定されたランドマーク「松崎オート（バイクショップ）」「日の出エネルギ（ガソリンスタンド）」「市営駐車場（公営施設）」が抽出され、それぞれマーク４６と案内データの表示４７とで明示されている。
【００９７】
以上の通り本実施の形態４の情報提供システムでは、端末の現在位置からユーザによって指定された案内候補施設まで自動的に経路探索するとともに、情報提供サーバに保存された個別ユーザデータに基づいて経路案内の基礎となるランドマークを抽出し、各ユーザ毎に案内情報が調整された個別案内データを作成する。従って、各ユーザ毎に自分の趣味に則したランドマークが選択され経路案内図が解りやすくなるといった効果がある。
また、ユーザの趣味に則したランドマークが明示的に表示されるため、案内経路上の注目スポットに関する情報を提供することができ、各ランドマークの広告的効果を高めると共に情報提供システムの利便性を向上することができる。
【００９８】
【発明の効果】
以上の通り本発明によれば、情報提供サーバが検索処理の結果抽出された候補施設について、報知データ提供者から提供された報知データと当該候補施設の既利用評価データとからなる提供データを作成し端末に送信するので、端末のユーザは報知データと既利用評価データの両方を参照することができ、情報提供システムの利便性を高めることができる。
【００９９】
また次の発明によれば、端末からの既利用評価データの表示方法の指定に基づき、各候補施設の提供データに含める既利用評価データを切替えることにより、ユーザは各候補施設に関する自己の覚え書きを容易に参照することができ、情報提供システムの利便性を高めることができる。
【０１００】
また次の発明によれば、ユーザ設定の検索条件と端末で付加された位置情報とに基づいて規定検索項条件を設定し候補施設を検索するので、検索対象地域を自動的に特定して端末の周辺にある候補施設を容易に検索することができ、情報提供システムの利便性を高めることができる。
【０１０１】
また次の発明によれば、情報サーバから端末に地図情報を送信し各候補施設を地図上に明示するような構成としため、ユーザは候補施設の位置を容易に把握することができ、情報提供システムの利便性を高めることができる。
【０１０２】
また次の発明によれば、情報提供サーバにおいて各ユーザの嗜好を記録した個別ユーザデータを保存し、端末から検索要求信号を受信した場合にユーザ設定の検索条件と該ユーザの個別ユーザデータとに基づいて規定検索条件を設定し候補施設の検索をおこなうため、個別ユーザデータに基づいてユーザの嗜好などにあわせた検索結果を得ることができ、情報提供システムの利便性を高めることができる。
【０１０３】
また次の発明によれば、端末から情報提供サーバに対し評価登録要求信号が送信された際に、情報提供サーバは該評価登録要求信号に基づいて当該既利用ユーザの嗜好を抽出し、該ユーザの個別ユーザデータを自動的に更新するので、逐次更新された個別ユーザデータに基づいて報知データの検索処理を行うことにより、ユーザは別個に個別ユーザデータの更新処理を行う必要がなく、ユーザの嗜好の変化に対応した検出結果を得ることができ、情報提供システムの利便性を高めることができる。
【０１０４】
また次の発明によれば、各ユーザの趣味項目を個別ユーザデータに保存し、端末から候補施設を指定して経路案内要求信号が受信された場合に、情報提供サーバにおいて当該ユーザの個別ユーザデータに基づいて案内内容を調整した個別案内データを作成することにより、各ユーザ毎に趣味に則したランドマークを選択して把握が容易な経路案内図を提供することができ、情報提供システムの利便性を高めることができる。
【図面の簡単な説明】
【図１】  本発明の実施の形態１の情報提供システムの構成図である。
【図２】  本発明の実施の形態１の評価データベースの例を示した模式図である。
【図３】  本発明の実施の形態１の提供データ作成処理のフロー図である。
【図４】  本発明の実施の形態１の検索結果画面の例を示した模式図である。
【図５】  本発明の実施の形態２の情報提供システムの構成図である。
【図６】  本発明の実施の形態１の個人メモモードにおける検索結果画面の例を示した模式図である。
【図７】  本発明の実施の形態３の情報提供システムの構成図である。
【図８】  本発明の実施の形態４の情報提供システムの構成図である。
【図９】  本発明の実施の形態４の個別案内データ作成処理のフロー図である。
【図１０】  本発明の実施の形態４の経路案内画面の例を示した模式図である。
【図１１】  本発明の実施の形態４の経路案内画面の別の例を示した模式図である。
【図１２】  従来の情報提供システムの構成図である。
【符号の説明】
１  端末
２  情報提供サーバ
４  位置情報取得部
６  通信部
１１  提供情報生成部
１２  報知データ蓄積管理部
１３  評価データ蓄積管理部
１４  個別ユーザデータ蓄積管理部
１５  地図情報蓄積管理部
１６  個別ユーザデータ更新処理部
１７  案内データ生成部
２０  既利用評価データ登録部
２１  評価データ入力部
２３  評価データ登録部
３０  報知データ参照部
３１  照会処理部
３２  地図情報受信部
３３  表示部
３４  表示切替指示部
４０  提供データの表示
４１  候補施設を明示するマーク
４２  報知データの表示
４３  既利用評価データの表示
４５  案内経路を明示する表示
４６  ランドマークを明示するマーク
４７  案内データの表示
４８  端末の現在位置を表すマーク
【図１】
0004216521.tif 000002
【図２】
0004216521.tif 000003
【図３】
0004216521.tif 000004
【図４】
0004216521.tif 000005
【図５】
0004216521.tif 000006
【図６】
0004216521.tif 000007
【図７】
0004216521.tif 000008
【図８】
0004216521.tif 000009
【図９】
0004216521.tif 000010
【図１０】
0004216521.tif 000011
【図１１】
0004216521.tif 000012
【図１２】
0004216521.tif 000013